(57)【特許請求の範囲】
【請求項１】
圧媒体システムのためのホースリリース装置において、
本体（２３）と、
本体（２３）から突出する少なくとも１つの長手方向アーム（２４）と、
圧媒体ホース（１５）を前記長手方向アーム（２４）に連結する連結要素（２６）であって、前記長手方向アーム（２４）の遠位端部部分にある少なくとも１つの連結要素（２６）と、
少なくとも１つの圧媒体ホース（１５）を支持するための少なくとも１つの支持表面であって、初期位置および該初期位置から離れる方向への移動を可能にする移動範囲を有する少なくとも１つの支持表面と、
前記支持表面を初期位置に維持するための支持力を生成する少なくとも１つの力部材と、を有し、
前記支持表面は、前記長手方向アーム（２４）の遠位端部部分に設けられ、少なくとも１つの圧媒体ホース（１５）から支持表面に対して力が向けられた場合に初期位置から離れるように移動できることを許容し、
前記長手方向アーム（２４）は、板バネとして機能し、前記本体（２３）との関係において屈曲（Ｂ）するように配置され、該屈曲（Ｂ）はリリース効果を生成し、
前記ホースリリース装置は、支持される圧媒体ホース（１５）の長さが、圧媒体ホース（１５）内部に存在する高圧（Ｐ２）によってひき起こされる圧媒体ホース（１５）の外径（Ｄ２）の拡張に起因して短縮された場合に、長さ補償を可能にするための専用の保護装置である、ことを特徴とするホースリリース装置（２２）。
【請求項２】
少なくとも１つの力部材がバネ（３０）であることを特徴とする請求項１に記載のホースリリース装置。
【請求項３】
力部材の支持力が、支持されている圧媒体ホース（１５）の長手方向軸との関係において横断方面に向けられ、ホースリリース装置（２２）は圧媒体ホース（１５）を横断方向に移動させることができ、横断方向のリリース効果を生成することを特徴とする請求項１又は２に記載のホースリリース装置。
【請求項４】
少なくとも１つのアーム（２４）の長手方向軸が、本体（２３）との関係において初期角度位置にあることを特徴とする請求項１に記載のホースリリース装置。
【請求項５】
ホースリリース装置（２２）がプレート状の形態を有することを特徴とする請求項１〜４の何れか一項に記載のホースリリース装置。
【請求項６】
第１の締結点と第２の締結点の間に配置された少なくとも１つの圧媒体ホース（１５）であって、少なくとも１つのガイドローラ（２０）の周りに導かれる圧媒体ホース（１５）と、
第１の締結点とガイドローラ（２０）の間に位置設定されている請求項１〜５の何れか一項に記載の少なくとも１つのホースリリース装置（２２）であって、初期位置において、第１の締結点とガイドローラ（２２）の間の最短ラインから横断方向に圧媒体ホース（１５）を偏向させるホースリリース装置（２２）と、を有することを特徴とするホース設備。
【請求項７】
送りビーム（５）と、
該送りビーム（５）上に配置された削岩機（６）と、
送りビーム（５）との関係において削岩機（６）を移動させるための送り装置（７）と、
削岩機（６）に油圧式に連結された少なくとも１つの油圧ホースと、
送りビーム（５）に組付けられた第１のホースクランプ（１７）、削岩機（６）と連結した状態で組付けられた第２のホースクランプ（１８）、および、送りビーム（５）の端部部分に可動な形で配置された少なくとも１つのガイドローラ（２０）を含むホース支持システム（１６）と、を含む削岩ユニットにおいて、
請求項１〜５の何れか一項に記載の少なくとも１つのホースリリース装置（２２）が、ホースクランプ（１７、１８）の少なくとも１つとガイドローラ（２０）の間に位置設定され、
ホースリリース装置（２２）が初期位置において、ホースクランプ（１７、１８）とガイドローラ（２０）の間の最短ラインから横断方向に油圧ホース（１５）を偏向させることを特徴とする削岩ユニット。
【請求項８】
削岩機（６）が油圧式打撃装置を含み、打撃装置に通じる少なくとも１つの高圧ホースが、請求項１〜５の何れか一項に記載のホースリリース装置（２２）を用いて支持されていることを特徴とする請求項７に記載の削岩ユニット。
【請求項９】
圧媒体ホースを制御する方法であって、
少なくとも１つの圧媒体ホース（１５）を削岩機（６）まで導くステップと、
少なくとも２つの支持物体間で少なくとも１つの圧媒体ホース（１５）を支持するステップと、を有する方法において、
請求項１〜５の何れか一項に記載の少なくとも１つのホースリリース装置（２２）を使用するステップと、
少なくとも１つのホースリリース装置（２２）を用いて支持物体間の最短直線ラインから少なくとも１つの圧媒体ホース（１５）を偏向させるステップと、
ホース（１５）が加圧され、加圧に起因してその長さが減少した場合に、圧媒体ホースが直線ラインに向かって移動できるようにするステップと、を有することを特徴とする方法。
【発明の詳細な説明】
【技術分野】
【０００１】
本発明は、１つ以上の圧媒体ホースを支持するためのホースリリース装置に関する。
本発明はさらに、ホース設備、削岩ユニットおよび圧媒体ホースの制御方法に関する。
本発明の分野は、独立請求項の前段でより具体的に定義されている。
【背景技術】
【０００２】
鉱山および他の工事現場において、岩肌および土壌中に掘削孔を掘削するために削岩ユニットが使用される。削岩ユニットは送りビームおよびその上に可動な形で配置された削岩機を含む。削岩機は、回転装置および打撃装置などの油圧アクチュエータを含む。油圧パワーは、ガイドローラまたは対応する支持手段を用いて支持されている油圧ホースによって油圧アクチュエータまで運ばれる。しかしながら、この支持手段が充分なものではなく、いくつかの欠陥を有することが指摘されてきた。
【発明の概要】
【発明が解決しようとする課題】
【０００３】
本発明の目的は、新規の改良型ホースリリース装置を提供することにある。さらなる目的は、ホースリリースを考慮に入れた新規の改良型設備、削岩ユニットおよび方法を提供することにある。
【課題を解決するための手段】
【０００４】
本発明に係るホースリリース装置は、少なくとも１つの圧媒体ホースを支持する支持表面であって、初期位置およびこの初期位置から離れる移動を可能にする移動範囲を有する少なくとも１つの支持表面と、支持表面を初期位置に維持するための支持力を生成する少なくとも１つの力部材と、を有し、支持表面は、少なくとも１つのホースから支持表面に対して力が向けられた場合に初期位置から離れるように移動できることを許容し、ホースリリース装置は、支持される圧媒体ホースの長さが、ホース内部に存在する高圧によってひき起こされる圧媒体ホースの外径の拡張に起因して短縮された場合に、長さ補償を可能にするための専用の保護装置であること、を特徴とする。
【０００５】
本発明に係るホース設備は、第１の締結点と第２の締結点の間に配置された少なくとも１つの圧媒体ホースであって、少なくとも１つのガイドローラの周りに導かれる圧媒体ホースと、第１の締結点とガイドローラの間に位置設定されている請求項１〜６に記載の少なくとも１つのホースリリース装置と、を備え、ホースリリース装置が初期位置において、第１の締結点とガイドローラの間の最短ラインから横断方向にホースを偏向させることを特徴とする。
【０００６】
本発明に係る削岩ユニットは、請求項１〜６に記載の少なくとも１つのホースリリース装置が、ホースクランプの少なくとも１つとガイドローラの間に位置設定され、ホースリリース装置が初期位置において、ホースクランプとガイドローラの間の最短ラインから横断方向に油圧ホース（１５）を偏向させることを特徴とする。
【０００７】
本発明に係る方法は、少なくとも１つのホースリリースを実施するステップと、少なくとも１つのホースリリース装置を用いて支持物体間の最短直線ラインから少なくとも１つの圧媒体ホースを偏向させるステップと、ホースが加圧され、加圧に起因してその長さが減少した場合に、ホースが直線ラインに向かって移動できるようにするステップと、を有することを特徴とする。
【０００８】
開示された解決法の考え方は、圧媒体システムの１つ以上のホースを支持するために、１つ以上のホースリリース装置が配置されるということにある。ホースリリース装置は、圧媒体ホースを支持するための少なくとも１つの支持表面を含む。支持表面は、初期位置を有し、ホースから支持表面に力が向けられた場合に、初期位置から離れるように移動してよい。このホースリリース装置は同様に、支持表面を初期位置に維持するための支持力を生成する目的で１つ以上の力部材をも含んでいる。さらに、ホースリリース装置は、ホース内部に存在する高圧によってひき起こされるホースの外径の拡張に起因して、支持される圧媒体ホースの長さが短縮された場合に長さ補償を可能にするための専用の保護装置である。
【０００９】
開示された解決法の１つの利点は、ホースリリース装置が、圧媒体システム内の予防的構成要素として役立ち得るという点にある。ホースに対して大きな緊張力が向けられた場合には、ホースリリース装置は、支持表面を移動させることにより緊張力を減少させ得る。リリース効果のため、支持されたホースに対する損傷を予防することができる。さらに、圧媒体システムの他の構成要素およびホースのガイド要素に向けられる広範な負荷を回避することができる。
【００１０】
一実施形態によると、ホースリリース装置は、１つ以上の作動圧力ホースを支持するために、圧媒体システム内で利用される。作動圧力ホースは、圧媒体アクチュエータに対して必要な作動エネルギーおよび力を移送するために使用される。作動圧力ホースの中には、高圧が存在するかもしれない。
【００１１】
一実施形態によると、ホースリリース装置は、１つ以上の油圧ホースを支持するために油圧システム内で使用される。本特許出願中で開示されている解決法は、油圧ホース内にはより高い圧力と大きな拡張が存在することから、油圧システムにおいて特に有利である。しかしながら、一部のケースでは、空気圧システム内でも開示された解決法に対するニーズが発生する可能性がある。
【００１２】
一実施形態によると、少なくとも１つの力部材はバネである。機械式バネが単純で、耐久性があり、かつ安価な構成要素である。
一実施形態によると、少なくとも１つの力部材は板バネである。
一実施形態によると、少なくとも１つの力部材はコイルバネである。
【００１３】
一実施形態によると、少なくとも１つの力部材は、例えばゴムまたは弾性プラスチック材料製であってよい弾力性ある要素である。弾力性要素向けに考えられる１つの材料はポリウレタンである。
【００１４】
一実施形態によると、少なくとも１つの力部材は、ホースをその自然のラインから偏向させる目的でリリース装置の初期位置において１つ以上のホースのための引張力を生成するように配置されていてよい弾力性ストラップまたはストリングである。
【００１５】
一実施形態によると、少なくとも１つの力部材は、アクチュエータ、例えば空気圧シリンダまたはベローズである。アクチュエータは、受動的バネ要素として役立ってよく、あるいは圧媒体の送りおよび放出を制御することによってアクチュエータを制御してもよい。
【００１６】
一実施形態によると、力部材の支持力は、支持されているホースの長手方向軸との関係において横断方向に向けられる。こうしてホースリリース装置は、ホースが高い引張り荷重を受けた場合に横断方向に移動できるようにする。リリース装置の支持表面または要素は、横断方向に移動してよく、このとき、横断方向のリリース効果を生成することができる。支持された１つ以上のホースは、初期位置においてホースリリース装置を用いて偏向され得、リリース装置はホースに引張力が加わった場合にその歪みを矯正できるようにする。
【００１７】
一実施形態によると、ホースリリース装置は、この装置によりガイドローラまたは対応する支持表面または物体の間の最短直線ラインから１つ以上のホースを偏向させるように構成されている。ホースが加圧され、加圧に起因してその長さが減少した場合に、リリース装置はリリース機能を実行し、ホースが最短直線ラインに向かって移動できるようにする。リリース装置はホース長を蓄えることができ、必要な場合にそれをリリースできる。
【００１８】
一実施形態によると、力部材の支持力は、支持されているホースの長手方向に向けられる。このとき、ホースリリース装置は、長手方向へのホースの移動を可能にする。移動は、長手方向のリリース効果として役立つ。リリース装置は、ホース継手の構造に組込まれてよい。代替的には、リリース装置は、２つのホース部分の間に配置された別個の構成要素であってよく、長手方向に互いとの関係において摺動し得る２つ以上の入れ子部分を含んでいてよい。付加的な実施形態において、リリース装置は、油圧ホースが連結される継手ボックスを含んでいてよく、この継手ボックスは長手方向に摺動して、所望のリリース効果を発生させてよい。
【００１９】
一実施形態によると、ホースリリース装置は、単一のホースのみに作用するように設計されている。したがって、ホースリリース装置は、１つのホースを支持するための１つの支持表面を含む。
【００２０】
一実施形態によると、ホースリリース装置は複数のホースに作用するように設計される。したがって、ホースリリース装置は、ホースを支持するための複数の支持表面を含む。
【００２１】
一実施形態によると、ホースリリース装置は、本体および本体から突出する１つ以上の長手方向アームを含む。アームの遠位端部部分には、ホースをアームに連結するための１つ以上の連結要素が具備されている。アームの遠位端部部分は、ホースのための支持表面として役立つ。長手方向アームは板バネとして役立ち、力が向けられた場合に本体との関係において屈曲するように配置されている。アームの屈曲は、リリース効果を生成する。１つ以上の長手方向アームの屈曲のため、ホースリリース装置の構造は単純であり得、枢動継手を伴う別個のいかなる部品も必要とされない。長手方向アームは板バネとして役立つため、構造は、別個のいかなる力部材も無いものであり得る。
【００２２】
一実施形態によると、ホースリリース装置は、本体および本体から突出する１つ以上の長手方向アームを含む。アームの長手方向軸は、本体との関係において初期角度位置にある。力がホースからアームに向けられた場合、アームは屈曲し、その帰結として、初期角度は減少する。アームは初期角度位置にあることから、アームはホースをその自然の経路から偏向させ得、これにより構造はホース長を蓄え、必要な場合にそれをリリースする。初期角度位置にあるアームは同様に、屈曲に抵抗しアームの支持表面を初期位置に維持するための支持力を生成する力部材としても役立つ。
【００２３】
一実施形態によると、ホースリリース装置は、本体および本体から突出する１つ以上の長手方向アームを含む。さらに、ホースリリース装置はプレート様の形態を有する。プレート様の構造は、製造が容易で、単純で耐久性があり、かつ安価である。
【００２４】
一実施形態によると、ホースリリース装置は、本体および本体から突出する１つ以上の長手方向アームを含むプレート様の物体である。本体および１つ以上のアームは、１つの一体化されたまとまりである。ホースリリース装置は、単一のプレート要素で形成されていてよく、このため構造は非常に単純である。
【００２５】
一実施形態によると、ホースリリース装置は、本体および本体から突出する１つ以上の長手方向アームを含むプレート様の物体である。アームの支持力は、アームの断面寸法および本体と連結要素の間の距離を用いて定義される。したがって、アームの支持特性は、プレート材料の厚みと強度およびアームの幅と長さの選択によって影響される可能性がある。開示されるプレート様のホースリリース装置は、切断および折曲技術を用いて形成されてよく、このため製造は費用効果性が高いものであり、構造に対する修正を容易に可能にする。ホースリリース装置のプリフォームは、ガス切断、プラズマ切断またはレーザー切断され得、プリフォームは、プレス加工機内で所望の角度に折曲られてよい。
【００２６】
一実施形態によると、ホースリリース装置は、本体および本体から突出する１つ以上の長手方向アームを含むプレート様の物体である。ホースリリース装置は、複数の平行なアームを含む。隣接するアームは類似のものであってよい。代替的には、隣接するアームは、例えば、異なる長さ、幅および屈曲角度を有していてよく、こうしてこれらのアームは異なるリリース能力を有していてよい。リリース装置はプレート様の構造を有することから、個別にアームを修正するのが比較的簡単である。
【００２７】
一実施形態によると、ホースリリース装置は、本体および本体から突出する１つ以上の長手方向アームを含むプレート様の物体である。アームの遠位端部部分には、連結要素として役立つ可撓性ストラップがある。可撓性ストラップはアームに対してホースを結束するためにホースの周りに配置されてよい。最も単純な形では、この可撓性ストラップはプラスチックケーブルタイであってよい。代替的には、ロック機構の備わった他のあらゆる結束ストラップが使用可能である。この実施形態は、リリース装置にホースを連結するための容易で安価ではあるもののなお信頼性の高い解決法を提供する。
【００２８】
一実施形態によると、ホースリリース装置は、本体および本体から突出する１つ以上の長手方向アームを含むプレート様の物体である。アームの遠位端部部分には、アームとホースを整列状態に保つための案内要素がある。
【００２９】
一実施形態によると、ホースリリース装置はホース挟持装置と連結状態で配置されている。ホース挟持装置は、物体に対し１つ以上のホースを締結するように設計されている。ホースリリース装置および挟持装置用として同じ締結要素を使用してよいことから、これらの実施形態は構造を簡略化する。
【００３０】
一実施形態によると、ホースリリース装置は、外周を含む１つ以上のローラを含む。ローラの外周は、リリース装置内の支持表面として役立つ。ローラを初期位置に保つために、少なくとも１つの力部材が配置されており、ローラは、ホースから支持力に向かう力を受けた場合、第２の位置に向かって移動できる。
【００３１】
一実施形態によると、ホースリリース装置は１つ以上のローラを含む。ローラの外周は、ホース用の支持表面として役立ってよい。ローラの構造は、弾力性ある材料でできた少なくとも１つの部分を含んでいてよく、ローラに対し支持力より大きい力が向けられた場合にこれが圧縮する。ローラの外周は、弾力性ある材料製であってよい。代替的には、ローラは心棒に対し支持され、ローラはリング状の外側部分および内側部分を含む。内側部分は、弾力性材料製であってよく、こうしてリリース装置に対して所望のリリース効果を付与する。
【００３２】
一実施形態によると、ホースリリース装置は少なくとも１つの管状要素を含み、これを通してホースが配置されている。管状要素は、可撓性材料製であり、屈曲した初期形状を有する。屈曲した管状要素は、ホースに対する引張力が形成された時点で歪みが矯正されるように配置されている。管状要素および支持されたホースの歪み矯正は、所望のリリース効果を達成する。管状要素は、プラスチック材料、ゴムでできていてよく、あるいは同様に金属材料でできていてもよい。
【００３３】
一実施形態によると、ホースリリース装置は、ホースが直線運動できるようにする長手方向スライド機構を含む。
【００３４】
以上で開示された実施形態を組合わせて、開示された必要な特徴を備えた所望の解決法を形成することができる。
【００３５】
添付の図面には、一部の実施形態がさらに詳細に描かれている。
【図面の簡単な説明】
【００３６】
【図１】掘削ユニットが具備された削岩装置の側面図である。
【図２ａ】低圧を受けた場合の圧媒体ホースの断面図である。
【図２ｂ】ホースの内部で高圧が作用している場合のホースを示す。
【図３ａ】初期位置にあるホースリリース装置の備わった削岩ユニットの概略的上面図である。
【図３ｂ】リリース位置にある同じリリース装置である。
【図４】複数のアームが具備されたホースリリース装置の概略図である。
【図５】ホースリリース装置の屈曲可能なアームの動作を示す概略図である。
【図６】複数の実現可能なホースリリース機構の原理を示す概略図である。
【図７ａ】複数のローラが具備されたローラアセンブリの概略図である。
【図７ｂ】ローラアセンブリのバネ支持型ローラの概略図である。
【図７ｃ】ホースリリース装置のローラの概略図であり、ここでローラには弾力性の材料でできた環状区分が具備されている。
【図７ｄ】ホースリリース装置のローラの概略図であり、ここでローラには弾力性の材料でできた環状区分が具備されている。
【図８ａ】ホースが貫通して配置されている管状ホースリリース装置の概略図である。
【図８ｂ】ホースが貫通して配置されている管状ホースリリース装置の概略図である。
【図９】ホースの長手方向に摺動し得る継手ボックスなどのホース連結要素の概略図である。
【図１０】２つのホース部分の間に配置され２つの入れ子部分が具備され、長手方向に互いとの関係において滑動しかつ所望のリリース効果をひき起こすことのできる、別個の継手構成要素の概略図である。
【発明を実施するための形態】
【００３７】
図１は、ブーム３を用いて可動キャリヤ４に連結され得る削岩ユニット２を含む削岩装置(rock drilling rig)１を示す。掘削ユニット２は、送りビーム５とその上に支持された削岩機(rock drilling machine)６を含んでいてよい。削岩機６は、送り装置７によって送りビーム５上を移動させられてよい。削岩機６は、工具９を連結させるために削岩機６の前端部にシャンク８を含む。工具９は１つ以上のドリルロッド１０および工具９の遠位端部に位置設定されたドリルビット１１を含んでいてよい。削岩機６はさらに、シャンク８およびシャンク８に連結された工具９を回転させるための回転装置を含む。削岩が工具の回転Ｒおよび送りに基づく場合には、掘削は回転掘削として公知である。しかしながら、削岩機６は同様に、工具９に衝撃パルスを生成するための衝撃装置または打撃装置をも含んでいてよい。掘削現場において、１つ以上の掘削孔１２が、掘削ユニット２を用いて掘削される。
【００３８】
削岩機６は、１つ以上の油圧アクチュエータを含んでいてよい。打撃装置および回転装置は、油圧アクチュエータであってよい。油圧パワーは、キャリヤ４上に位置設定され得る油圧ポンプユニット１３内で生成されてよい。油圧パワーは、１つ以上の油圧ホース１５を用いて、削岩機６に伝達されてよい。削岩機６は、送りビーム５上を掘削方向および逆方向に移動させられることから、ホース１４は、削岩機６の移動を可能にするホース支持システム１６を用いて送りビーム５に対し支持される必要がある。ホース支持システム１６は、送りビーム５に連結された第１のホースクランプ１７および削岩機６と連結状態で配置された第２のホースクランプ１８を含んでいてよい。第２のホースクランプ１８は、削岩機６に対し直接配置されていてもよいし、あるいは、削岩機６と送りビーム５の間のクレードル１９または他の任意の組付け用ベースまたはフレームに対して配置されていてもよい。ホース支持システム１６は、さらに送りビーム５との関係において可動な形で配置された１つ以上のガイドローラ２０を含んでいてよい。ガイドローラ２０は、送りビーム５の遠位端部に位置されてよく、ガイドローラが削岩機６の送り運動に応えて送りビーム５の長手方向に移動できるようにするスライド２１またはそれに対応する機構を含んでいてよい。削岩ユニット２には、以上で開示され図３ａ〜１０に示されている１つ以上のホースリリース装置が具備されていてよい。ホースリリース装置は、例えばガイドローラ２０と連結した状態でまたはホースクランプ１７および１８のいずれかと連結した状態で、第１のホースクランプ１７とガイドローラ２０の間、ガイドローラ２０と第２のホースクランプ１８の間に位置設定されていてよい。
【００３９】
図２ａは、低い油圧Ｐ１が内部で作用している油圧ホース１５を開示している。油圧ホース１５の外径Ｄ１は初期寸法にある。油圧ホース１５が高い油圧Ｐ２で加圧されている場合、外側寸法Ｄ２は図２ｂに示されている通りに拡張する。油圧ホース１５の外側寸法を変動させると、ホース１５がホース支持システムにより支持されている場合、ホース１５の長さの変化がひき起こされる可能性がある。本出願で開示されているホースリリース装置は、油圧ホース１５が直面している長さの変化の問題に対する解決法を提供する。
【００４０】
図３ａおよび３ｂは、ホースリリース装置２２の原理を示す。図３ａでは、ホースリリース装置２２は初期位置にあり、ここで装置の支持表面は、ガイドローラ２０と第２のホースクランプ１８の間で油圧ホース１５を偏向させ、そのためホースの余剰の長さがこれらの間に蓄積されることになる。図３ｂでは、ホース１５は加圧され、ホース１５は拡張して長さの短縮をひき起こす。その後、ホースリリース装置２２は、初期位置から離れるように屈曲され、偏向機能は減少させられるかまたは完全に失われ、ホース１５のリリース作用がひき起こされる。その後、ホースは、ガイドローラ２０と第２のホースクランプ１８の間の最短直線ラインに向かって移動する。図３ａおよび３ｂにおいて、ホースリリース装置２２は、油圧ホース１５の長手方向軸との関係において横断方向に作用する。ホースリリース装置１５の構造は図４および５にしたがったものであり、これらの図について次に説明する。
【００４１】
図３ａは、ホースリリース装置２２ｅの代替的位置を開示している。ホースリリース装置２２ｅは、第１のホースクランプ１７と連結状態で配置されていてよく、装置２２と同じ要領で動作する。
【００４２】
図４は、本体２３および本体部分から突出する複数の細長いアーム２４を含むホースリリース装置２２を開示している。図４では、５本のアーム２４が存在するが、アームの数は例えば１〜６本であってよい。アーム２４の遠位部分には、切込み２５または連結要素２６の組付けを可能にする他の締結用部分があってよく、これは図５に示されている。油圧ホース１５は、連結要素２６によりアーム２４に連結されてよい。図５を見ればわかるように、リリース装置２２の構造は、プレート様であってよい。図５は同様に、アーム２４が本体２３との関係において初期角度位置に屈曲されてよいことをも開示している。アームの屈曲ライン２７は、図４および５に示されている。ホース１５を高圧で加圧した場合、アーム２４は、初期位置から離れるように屈曲するＢ。図４はさらに、リリース装置２２が例えば締結用ボルトを用いて締結され得ることを開示している。締結用孔２８は、リリース装置２２がホースクランプと同じ締結用ボルトを用いて締結され得るような形で設計されてよい。
【００４３】
図６は、本出願において開示されている一部のホースリリース機構の基本原理を示す簡易表示である。リリース装置２２ａは、ホース１５の長手方向にリリース効果を生成し得る。ガイドローラアセンブリと連結状態でリリース装置２２ｂを配置してよく、このリリース装置も同様に長手方向のリリース効果を生成し得る。リリース装置２２ｃはホース１５に対する偏向をひき起こし、こうしてホース１５に横断方向の作用をもたらす。１つの単一のリリース装置あるいは代替的には２つ以上のリリース装置の組合せを実施してよい。
【００４４】
図７ａは、図７ｂで示されたバネ要素３０を用いて支持されてよい、複数のローラ２０を備えたローラアセンブリ２９を開示している。ローラアセンブリは、このとき、図６に示されたリリース装置２２ｂとして役立ち得る。
【００４５】
図７ｃおよび７ｄは、ホースリリース装置２２ｂのローラ２０を開示しており、ここでローラ２０には、弾力性ある材料で作られた環状区分３１が具備されている。弾力性ある材料製の区分３１は圧縮でき、こうしてローラ２０により支持されているホースの所望のリリース効果をひき起こす。
【００４６】
図８ａおよび８ｂは、ホースリリース装置２２として役立ち得る管状要素３２を開示している。ホース１５は、可撓性材料で製造されてよい管状要素３２を貫通して配置されてよい。図８ａにおいて、管状要素３２は、初期曲線位置にあり、図８ｂにおいて、管状要素３２の形状は、ホース１５内に作用する引張力に起因して歪み矯正されている。
【００４７】
図９は、スライド３４上に配置されてよくかつホース１５の長手方向に移動してよい継手ボックス３３などのホース連結要素を開示している。開示されたホースリリース装置２２は、バネ要素３０を用いて初期位置に保たれる。可動継手ボックス３３は２つのホース部分３５および１５の間に位置設定されていてよい。
【００４８】
図１０は、２つのホース部分３５および１５の間に配置された別個の継手構成要素３６を開示している。この構成要素３６には２つの入れ子部分３７および３８が具備されており、これらが長手方向に互いとの関係において摺動し、所望のリリース効果をひき起こし得る。構成要素３６は、バネ要素３０を用いて初期位置に保たれている。
【００４９】
図９および１０において、ホース支持システム１６は、図１、３ａおよび３ｂに示されている解決法に係るものであってよく、したがって開示されたガイドローラ２０およびホースクランプ１８を含んでいてよい。
【００５０】
図３ａ、３ｂ、６、９および１０を見ればわかるように、ホース１５は、３つの支持点、すなわちホースの両端部において、および端部間において支持されている。両端部にある支持点は、第１のホースクランプ１７および第２のホースクランプ１８を含んでいてよく、ホースクランプの間にはガイドローラ２０があってよい。３つの支持点のため、ホース１５の外側寸法の変動がホースの長さの変化をひき起こす。
【００５１】
図面および関連する説明は、本発明の考え方を例証するように意図されているにすぎない。本発明は、その細部において、特許請求の範囲内で変更してよい。
【符号の説明】
【００５２】
１    削岩装置
５    送りビーム
６    削岩機
７    送り装置
１５    圧媒体ホース（油圧ホース）
１７、１８    ホースクランプ
２０    ガイドローラ
２２    ホースリリース装置
２３    本体
２４    アーム
２６    連結要素
３０    バネ
【図１】
0005941179.tif 000002
【図２ａ】
0005941179.tif 000003
【図２ｂ】
0005941179.tif 000004
【図３ａ】
0005941179.tif 000005
【図３ｂ】
0005941179.tif 000006
【図４】
0005941179.tif 000007
【図５】
0005941179.tif 000008
【図６】
0005941179.tif 000009
【図７ａ】
0005941179.tif 000010
【図７ｂ】
0005941179.tif 000011
【図７ｃ】
0005941179.tif 000012
【図７ｄ】
0005941179.tif 000013
【図８ａ】
0005941179.tif 000014
【図８ｂ】
0005941179.tif 000015
【図９】
0005941179.tif 000016
【図１０】
0005941179.tif 000017